(57)【要約】【課題】  各種標準電波を受信して各地域で自動的に時刻修正ができ、効率よく受信動作を行えて省エネルギー化できて操作性も高い電波修正時計の提供。【解決手段】  電波修正時計１は、標準電波の受信対象局を選択する受信選択手段６０と、同調回路２２１を選択された受信対象局の周波数に切り替える受信周波数切替手段５７と、標準電波の受信に成功を判定する受信電波判定手段５６と、標準電波の時刻情報に基づいて現時刻を修正する時刻修正手段５５と、受信対象局の選択順序が記憶された選択順序記憶手段７０とを備える。受信選択手段６０は、１番目の受信対象局を選択して受信を行う第１受信局選択受信部６１と、その電波受信に失敗した際に、選択順序記憶手段７０に記憶された選択順序にしたがって受信対象局を順次選択して電波の受信を行う受信局逐次選択受信部６２とを備える。【選択図】  図６
2004163439.tif 000002
【特許請求の範囲】
【請求項１】
基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際にその標準電波に含まれる時刻情報に基づいて前記計時手段の現時刻を修正する時刻修正手段と、前記受信対象局の選択順序が記憶された選択順序記憶手段として機能させるとともに、前記受信選択手段を、選択順序記憶手段に記憶された１番目の受信対象局を選択して電波の受信を行う第１受信局選択受信部と、第１受信局選択受信部での電波受信に失敗したと判定された際に、選択順序記憶手段に記憶された選択順序にしたがって標準電波の受信に成功するかまたは記憶されたすべての受信対象局を選択し終えるまで、受信対象局を順次選択して電波の受信を行う受信局逐次選択受信部として機能させることを特徴とする電波修正時計の制御プログラム。
【発明の詳細な説明】
【技術分野】
【０００１】
本発明は、電波修正時計の制御プログラムに関する。
【背景技術】
【０００２】
近年、時刻情報を含む電波（長波標準電波）を受信し、その時刻情報で時刻を自動的に修正して表示する電波修正時計が利用されるようになった。特に、従来の電波修正時計は、クロック（置き時計や掛け時計）が中心であったが、近年、携帯型のウォッチ（腕時計等）にも組み込まれるようになっている。
ところで、日本国内でサービスされている長波標準電波は、送信周波数４０ｋＨｚのおおたかどや山（東日本）の標準電波出力局と、送信周波数６０ｋＨｚのはがね山（西日本）の標準電波出力局との２種類の周波数で運用されている。
一方、海外では、ドイツでは７７．５ｋＨｚ、イギリスでは６０ｋＨｚ、アメリカでは６０ｋＨｚの各周波数の標準電波でサービスが行われている。
【０００３】
従来の電波修正時計は、各国の標準電波のみ、つまり１種類の標準電波のみを受信可能に構成されたものであった。但し、近年では、複数の国や地域の標準電波を受信可能なマルチ受信機能を内蔵した電波修正時計も商品化されつつある。
例えば、日本国内では、送信周波数６０ｋＨｚの標準電波出力局の運用開始に伴い、従来の４０ｋＨｚの標準電波だけでなく、６０ｋＨｚの標準電波にも対応可能な電波修正時計が商品化されつつあり、日本全土での受信が可能になって利便性が高まっているので、利用者の関心も向上している。
【０００４】
さらに、４０，６０，７７．５ｋＨｚの標準電波に対応可能な電波修正時計であれば、日本のみならず、アメリカやヨーロッパ中央部での受信が可能となるため、海外出張等においても時刻の修正が不要になる確率が非常に高くなり、大きなメリットを電波修正時計の携帯者に提供することができる。
【発明の開示】
【発明が解決しようとする課題】
【０００５】
ところで、このようなマルチ受信機能を内蔵した電波修正時計を開発する際に最も問題となるのが、受信時の消費エネルギーの問題である。すなわち、電波修正時計の駆動において最もエネルギーを消費するのが電波の受信動作である。
このため、マルチ受信機能を内蔵した電波修正時計において、標準電波の受信時に受信可能なすべての標準電波の受信処理を実行し、最も受信条件、例えば電波の電界強度等が良好な電波の受信を行うようにして、適切な標準電波を自動的に選択できるようにすることは、省エネルギー化の点で好ましくない。
特に、受信可能な標準電波が２種類であれば、２回の受信動作でよいため、受信時のエネルギー消費もそれほど多くないが、３種類以上の標準電波を受信可能な場合には、エネルギー消費も大きくなり、特に電池等で駆動される腕時計では持続時間が短くなるという問題がある。
【０００６】
一方、利用者が予め受信する国（日本、ドイツ、アメリカ、イギリス等）や地域（東日本や西日本等）を選択し、その選択された地域の標準電波のみを受信する方法も考えられるが、この場合には利用者が受信地域を選択しなければならず、操作性の点で劣るという問題がある。
【０００７】
本発明の目的は、種類の異なる標準電波を受信して各地域で自動的に時刻修正を行えるとともに、効率よく受信動作を行えて省エネルギー化を図ることができ、かつ操作性も高い電波修正時計およびその制御方法を提供することにある。
【課題を解決するための手段】
【０００８】
第１発明の電波修正時計は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記受信対象局の選択順序が記憶された選択順序記憶手段と、を備え、前記受信選択手段は、選択順序記憶手段に記憶された１番目の受信対象局を選択して電波の受信を行う第１受信局選択受信部と、第１受信局選択受信部での電波受信に失敗したと判定された際に、選択順序記憶手段に記憶された選択順序にしたがって標準電波の受信に成功するかまたは記憶されたすべての受信対象局を選択し終えるまで、受信対象局を順次選択して電波の受信を行う受信局逐次選択受信部と、を備えることを特徴とするものである。
【０００９】
このような本発明によれば、受信選択手段は、選択順序記憶手段に設定された１番目の受信対象局を選択し、受信周波数切替手段は、その受信対象局の標準電波を受信できるように受信手段の周波数を切り替える。例えば、１番目の受信対象局として、東日本の「おおたかどや山」の標準電波出力局が選択されている場合には、受信周波数を４０ｋＨｚに設定して電波の受信を試みる。
【００１０】
電波修正時計が４０ｋＨｚの標準電波を受信可能な地域にあれば、その標準電波が受信手段で受信され、受信電波判定手段でその受信が成功か否かが判定される。なお、電波受信の成功は、所定の電界強度の電波が受信できたか否かと、各標準電波の時刻情報フォーマットに基づいて標準電波に含まれた時刻情報を解析し、その時刻情報が現在の時刻を正しく指定しているか否かとで判定する。具体的には、１分ごとの時刻情報（１フレーム）を１分毎に出力する標準電波を、複数フレーム受信し、各フレームの時刻情報が１分間隔のデータになっていれば、正確な標準電波の受信に成功したと判定される。
逆に、所定の電界強度の電波を受信できなかった場合や、受信した電波のデータが選択した受信対象局の時刻情報フォーマットに該当していない場合、さらに、連続して受信した各フレームの時刻情報が１分間隔でない場合は、標準電波の受信に失敗したと判定される。
【００１１】
そして、１番目の受信対象局で電波受信が成功しなかった場合のみ、２番目の受信対象局が選択されてその標準電波の受信が試みられ、２番目の受信対象局で電波受信が成功しなかった場合のみ、３番目の受信対象局が選択されてその標準電波の受信が試みられるというように、失敗した場合のみ順次他の受信対象局が選択される。このため、従来のようにすべての受信対象局の受信処理を行う必要がないため、エネルギー消費を最小限に抑えることができ、省エネルギー化を図ることができる。
さらに、受信対象局の選択が自動的に行われるので、利用者は時刻修正操作を行う必要が無く、利便性を高めることができる。
また、１番目の受信対象局は、前回受信した局等が設定されるため、その局で標準電波を受信できる可能性が高く、多くの場合には、１番目の局での電波の受信に成功するため、電波受信処理を短時間で行え、その分、消費電流も少なくできる。
なお、すべての受信対象局で電波受信に失敗した場合には、所定時間経過後に、１番目の受信対象局から順次受信を繰り返すようにすればよい。なお、この所定時間は、通常は２〜３時間程度に設定すればよいが、電波受信が１日１回とスケジュール化されている場合等では、２４時間後に行うように設定してもよい。
【００１２】
第２発明の電波修正時計は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記受信対象局の選択順序が記憶された選択順序記憶手段と、を備え、前記受信選択手段は、選択順序記憶手段に記憶された１番目の受信対象局を選択して電波の受信を行う第１受信局選択受信部と、第１受信局選択受信部での電波受信に失敗したと判定された際に、１番目の受信対象局以外の受信対象局の標準電波の受信を順次行い、電波の受信条件が最も良好な受信対象局を検出する最適局検出部と、この最適局検出部で検出された受信対象局を選択して電波の受信を行う最適局選択受信部と、を備えることを特徴とするものでもある。
【００１３】
本発明においても、前記第１発明と同様にして１番目の受信対象局での受信が試みられ、その受信が成功しなかった場合のみ、他の受信対象局の標準電波の受信が行われ、その電波の受信条件が検出される。なお、電波の受信条件とは、電波の電界強度や受信感度等の電波受信時の条件（状態）であり、この検出は実際の時刻情報を取得するための受信時間（一般的には１分間）に比べて非常に短時間で行うことができる。
そして、受信条件が最も良好な受信対象局を選択して電波の受信を行うので、標準電波の受信を失敗する可能性が少なく、効率よく電波を受信できる。特に、まず受信条件のみで最適な受信対象局を検出しているので、すべての局の受信を行った場合でも、受信可能な局を見つけ出すまでの時間を第１発明に比べて短くできる可能性が高く、消費電流もより少なくできる利点がある。
また、１番目の受信対象局で受信することで、電波受信処理を短時間で行え、消費電流も少なくできる点は第１発明と同様である。
なお、１番目の受信対象局よりも受信条件の良い局が見つからなかった場合や、条件の良い受信対象局でも電波受信に失敗した場合には、第１発明と同様に、所定時間経過後に、１番目の受信対象局から順次受信を繰り返すようにすればよい。
【００１４】
第３発明は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記受信対象局の選択順序が記憶された選択順序記憶手段と、を備え、前記受信選択手段は、選択順序記憶手段に記憶された１番目の受信対象局を選択して電波の受信を行う第１受信局選択受信部と、１番目の受信対象局以外の受信対象局の標準電波の受信を順次行い、電波の受信条件が最も良好な受信対象局を検出する最適局検出部と、この最適局検出部で検出された受信対象局の受信条件が１番目の受信対象局よりも良好である場合に、その受信対象局を選択順序記憶手段の１番目の受信対象局に設定する第１受信局設定部と、を備えることを特徴とするものである。
【００１５】
本発明においては、定期的な電波受信は、１番目の受信対象局のみで行われる。一方、この定期的な電波受信処理とは別に、一定時間毎や電波受信の一定回数毎等に、他の受信対象局の電波受信が行われてその電波の受信条件が検出される。そして、受信条件が１番目の局よりも良好な局があれば、選択順序記憶手段の１番目の受信対象局がその局に置き換わり、次の定期的な電波受信は、更新された新たな１番目の受信対象局で行われる。
【００１６】
このような第３発明によれば、定期的な電波受信は、１番目の局のみしか行われないため、短時間の処理で良く、その分、消費電流を少なくできる。さらに、その１番目の局は、定期的な受信とは別に受信条件の調査で最も良好なものに置き換わるため、定期的な電波受信は、通常、最も受信条件の良い局で行われることになり、電波受信に成功する可能性を高くすることができる。
また、受信条件を調査するための電波受信は、第２発明と同様に、短時間の受信処理でよいため、すべての局の受信を行った場合でも、受信可能な局を見つけ出すまでの時間は短くでき、消費電流の増加も抑えることができる。
【００１７】
第４発明は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段と、を備え、前記受信選択手段は、選択順序記憶手段に記憶された１番目の周波数を選択して電波の受信を行う第１周波数選択受信部と、第１周波数選択受信部での電波受信に失敗したと判定された際に、選択順序記憶手段に記憶された選択順序にしたがって標準電波の受信に成功するかまたは記憶されたすべての周波数を選択し終えるまで、受信周波数を順次選択して電波の受信を行う周波数逐次選択受信部と、を備えることを特徴とするものである。
【００１８】
このような本発明によれば、受信選択手段は、選択順序記憶手段に設定された１番目の周波数を選択し、受信周波数切替手段は、その選択に対応して受信手段の周波数を切り替える。電波修正時計がその周波数の標準電波を受信可能な地域にあれば、その標準電波が受信手段で受信され、受信電波判定手段でその受信が成功か否かが判定される。なお、同一周波数に複数の受信対象局の標準電波が存在する場合もあるため、受信電波判定手段は、（Ａ）所定の電界強度の電波が受信できたか否か、（Ｂ）標準電波に含まれた時刻情報がどの受信対象局の標準電波の時刻情報フォーマットに対応しているか、（Ｃ）そのフォーマットに基づいて時刻情報を解析した結果、その時刻情報が現在の時刻を正しく指定しているか否かの各条件をすべて満たした場合に、標準電波の受信に成功したと判定する。なお、正しい時刻であるかの判断は、例えば、１分ごとの時刻情報（１フレーム）を１分毎に出力する標準電波を、複数フレーム受信し、各フレームの時刻情報が１分間隔のデータになっているかで判断できる。
逆に、上記３条件の１つでも満たしていない場合には、標準電波の受信に失敗したと判定される。
【００１９】
そして、１番目の周波数で電波受信が成功しなかった場合のみ、２番目の周波数が選択されて標準電波の受信が試みられ、２番目の周波数で電波受信が成功しなかった場合のみ、３番目の周波数が選択されて標準電波の受信が試みられるというように、失敗した場合のみ順次他の周波数が選択される。このため、従来のようにすべての受信対象局の受信処理を行う必要がないため、エネルギー消費を最小限に抑えることができ、省エネルギー化を図ることができる。
さらに、周波数の切替によって電波受信を行っているので、同一周波数の標準電波を出力する受信対象局の電波は１度に検出できる。すなわち、標準電波という性質上、各受信対象局は異なる地域に設置されており、各受信対象局の電波が同一周波数であっても、ある地点で受信可能な電波は１つの受信対象局の電波である。従って、その周波数での受信を行い、電波を受信した際にその時刻情報のフォーマットを解析することで、容易に受信対象局を特定することができる。
このため、同一周波数の標準電波を使用している受信対象局があれば、切り替えて受信しなければならない周波数の数は、受信対象局の数に比べて少なくなる。従って、本発明は、第１〜３発明に比べて、対象となるすべての受信対象局の電波を検出する場合でも、少ない受信回数で行え、その分、省エネルギー化を促進することができる。
また、第１発明と同様に、周波数の選択が自動的に行われるので、利用者は時刻修正操作を行う必要が無く、利便性を高めることができる。さらに、１番目の周波数は、前回受信した周波数等が設定されるため、その周波数で標準電波を受信できる可能性が高く、多くの場合には、１番目の周波数での電波の受信に成功するため、電波受信処理を短時間で行え、その分、消費電流も少なくできる。      
【００２０】
第５発明は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段と、を備え、前記受信選択手段は、選択順序記憶手段に記憶された１番目の周波数を選択して電波の受信を行う第１周波数選択受信部と、第１周波数選択受信部での電波受信に失敗したと判定された際に、１番目の周波数以外の周波数の標準電波の受信を順次行い、電波の受信条件が最も良好な周波数を検出する最適周波数検出部と、この最適周波数検出部で検出された周波数を選択して電波の受信を行う最適周波数選択受信部と、を備えることを特徴とするものである。
【００２１】
本発明においても、前記第４発明と同様にして１番目の周波数での受信が試みられ、その受信が成功しなかった場合のみ、他の周波数の標準電波の受信が行われ、第２発明と同様にその電波の受信条件が検出される。
そして、受信条件が最も良好な周波数を選択して電波の受信を行うので、標準電波の受信を失敗する可能性が少なく、効率よく電波を受信できる。特に、まず受信条件のみで最適な周波数を検出しているので、すべての周波数の受信を行った場合でも、受信可能な周波数を見つけ出すまでの時間を第４発明に比べて短くできる可能性が高く、消費電流もより少なくできる利点がある。
また、１番目の周波数で受信することで、電波受信処理を短時間で行え、消費電流も少なくできる点や、受信対象局ではなく周波数を切り替えているので受信回数を少なくできて省エネルギー化を図れる点は第４発明と同様である。
なお、１番目の周波数よりも受信条件の良い周波数が見つからなかった場合や、条件の良い周波数でも電波受信に失敗した場合には、第１，２，４発明と同様に、所定時間経過後に、１番目の受信対象局から順次受信を繰り返すようにすればよい。
【００２２】
第６発明は、基準信号源からの基準信号を入力して現時刻を計時する計時手段と、時刻情報を含む標準電波を受信する受信手段と、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段と、を備え、前記受信選択手段は、選択順序記憶手段に記憶された１番目の周波数を選択して電波の受信を行う第１周波数選択受信部と、１番目の周波数以外の周波数の標準電波の受信を順次行い、電波の受信条件が最も良好な周波数を検出する最適周波数検出部と、この最適周波数検出部で検出された周波数の受信条件が１番目の周波数よりも良好である場合に、その周波数を選択順序記憶手段の１番目の周波数に設定する第１周波数設定部と、を備えることを特徴とするものである。
【００２３】
本発明においては、定期的な電波受信は、１番目の周波数のみで行われる。一方、この定期的な電波受信処理とは別に、一定時間毎や電波受信の一定回数毎等に、他の周波数の電波受信が行われてその電波の受信条件が検出される。そして、受信条件が１番目の周波数よりも良好な周波数があれば、選択順序記憶手段の１番目の周波数がその周波数に置き換わり、次の定期的な電波受信は、更新された新たな１番目の周波数で行われる。
このような第６発明によれば、定期的な電波受信は、１番目の周波数のみしか行われないため、短時間の処理で良く、その分、消費電流を少なくできる。さらに、その１番目の周波数は、定期的な受信とは別に受信条件の調査で最も良好なものに置き換わるため、定期的な電波受信は、通常、最も受信条件の良い周波数で行われることになり、電波受信に成功する可能性を高くすることができる。
また、受信条件を調査するための電波受信は、第５発明と同様に、短時間の受信処理でよいため、すべての周波数の受信を行った場合でも、受信可能な周波数を見つけ出すまでの時間は短くでき、消費電流の増加も抑えることができる。
【００２４】
ここで、前記第１〜３発明において、前記受信電波判定手段は、選択された受信対象局に対応する各標準電波出力局の時刻情報フォーマットに基づいて受信した電波の時刻情報を解析し、正しい時刻情報が得られたか否かで標準電波の受信の成功および失敗を判定していることが好ましい。
同様に、前記第４〜６発明において、前記受信電波判定手段は、選択された周波数に対応する各標準電波出力局の時刻情報フォーマットに基づいて受信した電波の時刻情報を解析し、正しい時刻情報が得られたか否かで標準電波の受信の成功および失敗を判定していることが好ましい。
【００２５】
このような構成によれば、受信電波判定手段において、受信電波を解析する際に、選択された受信対象局や周波数によって対象となる標準電波出力局の時刻情報フォーマットを絞り込むことができるので、そのフォーマットで解析する際に迅速に行うことができる。例えば、選択した周波数に対応する標準電波出力局が１局しかなければ、その局の時刻情報フォーマットのみに基づいて時刻情報を解析すればよいため、非常に短時間で解析することができる。
【００２６】
前記第１、２発明において、前記選択順序記憶手段は、１番目の受信対象局以外の受信対象局で標準電波の受信に成功した場合には、その受信に成功した受信対象局を１番目の受信対象局に設定し直すことが好ましい。
前記第５，６発明において、前記選択順序記憶手段は、１番目の周波数以外の周波数で標準電波の受信に成功した場合には、その受信に成功した周波数を１番目の周波数に設定し直すことが好ましい。
【００２７】
このような構成によれば、１番目の受信対象局や周波数は、常に前回標準電波を受信できた局や周波数に設定されるので、１番目の受信対象局や周波数で受信できる可能性が高くなり、標準電波を効率的に受信することができる。特に、標準電波出力局や周波数は、日本では、東日本および西日本間で移動しなければ変更されず、日本以外では各国間で移動しなければ変更されないため、実際に異なる局や周波数の電波を受信するのは、出張や旅行時のみであり、頻度は非常に少ない。したがって、殆どの場合には、前回と同一局や同一周波数の電波受信で良く、その分、処理効率を向上することができる。
【００２８】
前記第１〜３発明において、前記選択順序記憶手段に設定される受信対象局およびその順序は、利用者が設定可能に構成されているものでもよい。
前記第４〜６発明において、前記選択順序記憶手段に設定される周波数およびその順序は、利用者が設定可能に構成されているものでもよい。
【００２９】
前述のように、標準電波の受信対象局や周波数が変更されるのは、出張や旅行時である。したがって、受信対象局や周波数の順序を、各利用者が自分の出張パターン等に合わせて設定できれば、効率的に標準電波を受信することができる。
【００３０】
前記第１〜３発明において、前記選択順序記憶手段に設定される受信対象局およびその順序は、過去の受信履歴に基づいて設定されているものでもよい。
前記第４〜６発明において、前記選択順序記憶手段に設定される周波数およびその順序は、過去の受信履歴に基づいて設定されているものでもよい。
【００３１】
過去の受信回数が多い順に受信対象局や周波数の順序を設定すれば、各利用者の出張パターン等に合わせて設定できることになり、効率的に標準電波を受信することができる。
【００３２】
前記第１〜３発明において、前記選択順序記憶手段に設定される受信対象局およびその順序は、１番目の受信対象局から距離的に近い受信対象局の順序で設定されているものでもよい。
【００３３】
受信対象局の変更は、距離的に近い可能性が高い。例えば、通常は東日本の標準電波を受信しており、その東日本の標準電波を受信できなくなった場合は、西日本の標準電波を受信できる可能性が高い。同様に、通常はドイツの標準電波を受信していたのが受信できなくなった場合は、距離的に近いイギリスの標準電波を受信できる可能性が高い。したがって、設定順序を距離的に近い順に設定しておけば、１番目で受信できなかった場合に、２〜３番目で即座に受信できる可能性が高く、効率よく電波を受信することができる。
【００３４】
前記第４〜６発明において、前記選択順序記憶手段に記憶される周波数の順序は、１番目の周波数以外の周波数の中でその周波数の標準電波出力局の数が多い順序で設定されているものでもよい。
【００３５】
その周波数を出力する出力局（受信対象局）の数が多ければ、その周波数で電波受信に成功する確率も高くなり、１番目で受信できなかった場合に、２〜３番目で即座に受信できる可能性が高く、効率よく電波を受信することができる。
【００３６】
ここで、各発明においては、標準電波の受信に成功した受信対象局を表示する表示手段を備えることが好ましい。
このような表示手段を備えていれば、現在、表示されている時刻がどの局（国）の時刻であるかを利用者が簡単に把握でき、利便性を高めることができる。なお、この表示手段が無い場合でも、通常は、空港や町中の他の時計を参照したり、太陽の位置、日没、日の出等のタイミングによって、現在、その国の時刻を正しく表示しているかは判断することができる。
【００３７】
本発明にかかる電波修正時計の第１の制御方法は、周波数および時刻情報フォーマットの少なくとも一方が異なる各種標準電波を出力する各標準電波出力局の中から予め設定された１番目の受信対象局の標準電波の受信を行う第１局受信工程と、第１局受信工程で標準電波の受信に失敗した際に、標準電波の受信に成功するかまたは予め用意されたすべての受信対象局を選択し終えるまで、予め設定された順序で他の受信対象局の標準電波の受信を順次行う他局受信工程と、他局受信工程で標準電波の受信に成功した際に、その受信対象局を１番目の受信対象局に設定する第１局設定工程と、第１局受信工程または他局受信工程で標準電波の受信に成功した際に、時刻を表示する計時手段の現時刻を前記標準電波の時刻情報に基づいて修正する時刻修正工程と、を備えることを特徴とするものである。
【００３８】
また、第２の制御方法は、周波数および時刻情報フォーマットの少なくとも一方が異なる各種標準電波を出力する各標準電波出力局の中から予め設定された１番目の受信対象局の標準電波の受信を行う第１局受信工程と、この第１受信工程で標準電波の受信に失敗した際に、予め設定された順序で他の受信対象局の標準電波の受信を順次行って電波の受信条件が最も良好な受信対象局を検出する最適局検出工程と、最適局検出工程で検出された受信対象局の標準電波の受信を行う最適局受信工程と、この最適局受信工程で標準電波の受信に成功した際に、その受信対象局を１番目の受信対象局に設定する第１局設定工程と、前記第１局受信工程または最適局受信工程で標準電波の受信に成功した際に、時刻を表示する計時手段の現時刻を前記標準電波の時刻情報に基づいて修正する時刻修正工程と、を備えることを特徴とするものである。
【００３９】
さらに、第３の制御方法は、周波数および時刻情報フォーマットの少なくとも一方が異なる各種標準電波を出力する各標準電波出力局の中から予め設定された１番目の受信対象局の標準電波の受信を行う第１局受信工程と、予め設定された順序で他の受信対象局の標準電波の受信を順次行って電波の受信条件が最も良好な受信対象局を検出する最適局検出工程と、最適局検出工程で検出された受信対象局の受信条件が１番目の受信対象局よりも良い場合に、その受信対象局を１番目の受信対象局に設定する第１局設定工程と、前記第１局受信工程で標準電波の受信に成功した際に、時刻を表示する計時手段の現時刻を前記標準電波の時刻情報に基づいて修正する時刻修正工程と、を備えることを特徴とするものである。
【００４０】
これらの第１〜３の電波修正時計の制御方法によれば、前記第１〜３発明と同じ作用効果を奏することができる。
【発明の効果】
【００４１】
以上説明したように、本発明の電波修正時計およびその制御方法によれば、種類の異なる標準電波を受信して各地域で自動的に時刻修正を行えるとともに、効率よく受信動作を行えて省エネルギー化を図ることができ、かつ操作性も高くすることができる。
【発明を実施するための最良の形態】
【００４２】
以下、本発明の実施の形態を図面に基づいて説明する。
［第１実施形態］
図１は、第１実施形態の電波修正時計１の正面図である。電波修正時計１は、時針２、分針３、秒針（図示せず）を備えた指針式時計（アナログ時計）である。この時計１の文字盤５には、選択可能な受信対象局を示す目盛６と、この目盛６を指し示すことで現在選択されている受信対象局を指示する指針７とからなる地域インジケータ８が設けられている。
【００４３】
図２には、電波修正時計１の回路構成が示されている。
電波修正時計１は、時刻情報が重畳された長波標準電波を受けるアンテナ２１と、アンテナ２１で受けた長波標準電波を処理して時刻情報（タイムコード）として出力する受信手段としての受信回路２２と、受信回路２２から出力された時刻情報を記憶するデータ記憶回路２３と、制御回路２４と、指針２，３を駆動するステッピングモータの駆動を制御するモータ駆動回路２５と、指針２，３の針位置を検出する針位置検出回路２６と、各回路を駆動する電源としての電池２７とを備えている。
【００４４】
アンテナ２１は、フェライト棒にコイルを巻いたフェライトアンテナ等で構成されている。
受信回路２２は、同調コンデンサ等で構成された同調回路２２１を備え、同調回路２２１で設定された周波数の電波をアンテナ２１で受信するように構成されている。また、受信回路２２は、図示しない増幅回路、バンドパスフィルタ、復調回路、デコード回路等を備え、受信した電波からデジタルデータからなる時刻情報（タイムコード）を取り出してデータ記憶回路２３に記憶させる。
【００４５】
ここで、時刻情報（タイムコード）は、各国毎に所定の時刻情報フォーマット（タイムコードフォーマット）に合わせて構成されている。
すなわち、図３に示す日本の標準電波（ＪＪＹ）のタイムコードフォーマットでは、１秒ごとに一つの信号が送信され、６０秒で１レコードとして構成されている。つまり、１フレームが６０ビットのデータである。また、データ項目として現時刻の分、時、現在年の１月１日からの通算日、年（西暦下２桁）、曜日および「うるう秒」が含まれている。各項目の値は、各秒毎に割り当てられた数値の組み合わせによって構成され、この組み合わせのＯＮ、ＯＦＦが信号の種類から判断される。なお、図３中「Ｍ」で示されるのは正分（毎分０秒）に対応するマーカーであり、「Ｐ１〜Ｐ５」で示されるのはポジションマーカーであり、予めその位置が定められている信号である。なお、マーカーを示す信号は、約０．２ｍｓのパルス幅の信号であり、各項目においてＯＮ（２進の１）を表す信号は約０．５ｍｓのパルス幅の信号、ＯＦＦ（２進の０）を表す信号は約０．８ｍｓのパルス幅の信号である。
なお、長波標準電波（ＪＪＹ）は、日本では、背景技術で説明した通り４０ｋＨｚ（東日本）と６０ｋＨｚ（西日本）で送信が行われているが、各電波のタイムコードフォーマットは同じである。
【００４６】
一方、図４に示すドイツの標準電波（ＤＣＦ７７）のタイムコードフォーマットでは、分、時、日、曜日、月、年の各データ項目が設定されている。また、１５秒目まではデータが存在せず、このため、各ポジションマーカＰ１，Ｐ２，Ｐ３やマーカーＭの位置も図３のＪＪＹとは異なっている。さらに、各時刻項目の前に、「Ｒ：予備アンテナ使用」、「Ａ１：通常時間と夏時間の変更予告」、「Ｚ１，Ｚ２：通常時間と夏時間の表示」、「Ａ２：うるう秒の表示」、「Ｓ：時間コードの開始ビット」等の項目が設定されている。
【００４７】
また、図５に示すイギリスの標準電波（ＭＳＦ）のタイムコードフォーマットでは、年、月、日、曜日、時、分、分同期コードの各データ項目が設定されている。また、１７秒目まではデータが存在せず、また、各ポジションマーカＰやマーカーＭの有無や位置も図３，４のＪＪＹ、ＤＣＦ７７とは異なっている。
なお、図示しないがアメリカの標準電波（ＷＷＶＢ）のタイムコードフォーマットも、他の国のものと異なっており、受信した時刻情報（タイムコード）のフォーマット（データ）によりその標準電波がどの出力局のものかを判別することができる。
【００４８】
データ記憶回路２３に記憶された時刻情報は、制御回路２４で処理される。この制御回路２４の構成を、図６の回路図に示す。
制御回路２４は、発振回路５１、分周回路５２、時刻カウンタ５３、比較回路５４、時刻修正制御部５５、受信電波判定手段５６、受信周波数切替手段５７、受信選択手段６０、選択順序記憶手段７０、受信対象局情報記憶手段８０を備えて構成されている。
【００４９】
発振回路５１は、水晶振動子等の基準発振源５０を高周波発振させ、分周回路５２はその発振信号を分周して所定の基準信号（例えば１Ｈｚの信号）として出力する。時刻カウンタ５３は、この基準信号をカウントして現時刻を計時する。したがって、これらの各回路５１，５２、カウンタ５３により本発明の計時手段が構成されている。そして、カウンタ５３が１つカウントアップする度にモータ駆動回路２５に駆動信号が出力され、指針２，３およびステッピングモータからなる表示部２８を駆動している。
この指針２，３の位置は、針位置検出回路２６で検出されて比較回路５４に出力される。
【００５０】
受信選択手段６０は、選択順序記憶手段７０に第１番目の受信対象局として設定された標準電波出力局を選択して標準電波の受信を指示する第１受信局選択受信部６１と、第１番目の受信対象局で標準電波を受信できなかった場合に、選択順序記憶手段７０に記憶された選択順序に従って受信対象局を順次選択して受信動作を行う受信局逐次選択受信部６２とを備えている。
受信選択手段６０は、選択された受信対象局の標準電波を受信できるように、受信回路２２の起動および受信周波数切替手段５７を介して同調回路２２１を制御することによる受信周波数の切り替えを指示する。
【００５１】
選択順序記憶手段７０には、受信選択手段６０において各受信対象局を選択する順序が記憶されている。本実施形態では、選択順序の記憶方法として３種類の順序が設定されている。
すなわち、選択順序記憶手段７０には、ユーザー設定順序記憶部７１、距離的順序記憶部７２、履歴順序記憶部７３の３種類の記憶部が設定されている。
【００５２】
ユーザー設定順序記憶部７１には、図７に示すように、ユーザーの設定入力に対応して受信対象局およびその設定順序が記憶されている。図７の例では、１番目の受信対象局は東日本、以下、２番目は西日本、３番目はアメリカ、４番目はイギリス、５番目がドイツに設定されている。これらの順序は、通常、その利用者が自分の行動パターン等に応じて設定することになる。
【００５３】
距離的順序記憶部７２には、図８に示すように、主として各国間の距離などに応じた順序が設定されている。この設定順序は、地理的な距離のみならず、移動距離、移動時間（時間的な観点からの距離）なども加味されて設定されている。具体的には、各受信対象局を起点とした際の各受信対象局の設定順序が記憶されている。このデータは、初期値として予め設定されているが、このデータを利用者が変更することもできるようにされている。
【００５４】
履歴順序記憶部７３には、図９に示すように、標準電波の受信履歴、具体的には受信回数の多い順に各受信対象局が設定されている。例えば、図９の例では、１番目には前回電波を受信した西日本が設定されており、２番目以下は、受信回数の多い順に、「東日本、アメリカ、ドイツ、イギリス」と並べられている。
【００５５】
受信選択手段６０は、これらの各記憶部７１〜７３の内、ユーザーが選択している記憶部７１〜７３のデータ（順序）に基づいて受信対象局を選択するように構成されている。
なお、距離的順序記憶部７２を選択した場合には、さらにどの受信対象局を起点（第１局）にするかを特定する必要がある。この特定は、ユーザーが指定してもよいが、通常は、前回の受信対象局が第１局となる。
【００５６】
ここで、本実施形態では、３種類の順序（記憶部７１〜７３）を選択可能に構成していたが、いずれか１つあるいは２つのみを選択して設定できるようにように構成してもよい。
なお、本実施形態の以下の説明においては、距離的順序記憶部７２が選択され、かつ起点局として東日本（ＪＪＹ，４０ｋＨｚ）が選択されている場合を例示して説明する。
【００５７】
受信対象局情報記憶手段８０には、図１０に示すように、各受信対象局における標準電波の周波数およびその時刻情報のコードフォーマットが、少なくとも記憶されている。
【００５８】
次に、このような構成の電波修正時計１における動作を説明する。
電波修正時計１は、図示しないスケジュール設定情報等に基づいて、例えば１日１回等、決められた間隔で自動的に標準電波を受信する。また、利用者がりゅうず等の外部操作部材を操作することにより手動による強制受信も行えるようになっている。
【００５９】
標準電波の受信動作は、図１１に示すフローチャートに基づいて実行される。すなわち、受信動作が開始されると、選択順序を表す変数ｎが初期値１にされる（ステップ１、以下ステップを「Ｓ」と略す）。続いて、受信選択手段６０の第１受信局選択受信部６１が作動されて、選択順序記憶手段７０の距離的順序記憶部７２に記憶された第１番目の受信対象局、つまり東日本が選択され、その標準電波の受信処理が実行される（Ｓ２）。
具体的には、受信選択手段６０の第１受信局選択受信部６１は、受信回路２２を作動するとともに、選択された受信対象局に対応する標準電波の周波数情報を受信対象局情報記憶手段８０から読み出し、その周波数情報に基づいて、受信周波数切替手段５７を介して同調回路２２１を制御して受信周波数を切り替えて電波受信を実行する。
【００６０】
そして、第１受信局選択受信部６１は、第１受信対象局の標準電波を受信できたか否かを判定する（Ｓ３）。具体的には、まず受信回路２２において電波の電界強度や受信感度が検出され、第１受信局選択受信部６１はその検出結果により所定レベル以上の電波を受信しているかを判定する。そして、所定レベル以上の電波を受信している場合には、その時刻情報がデータ記憶回路２３に記憶されるため、受信電波判定手段５６によってその時刻情報が第１受信対象局のタイムコードフォーマットに合致しているか、およびその時刻情報が正しいデータであるかが判定され、その結果も第１受信局選択受信部６１に通知される。
なお、正しいデータであるかは、通常の電波修正時計におけるデータ判定と同様に、例えば連続する複数フレーム（１分間のデータ）が、それぞれ１分毎の時刻を表しているかで判定すればよい。
ここで、所定のフォーマットに合致し、かつ正しい時刻を表していると判定された場合のみ電波受信成功（受信ＯＫ）と判断され（Ｓ３）、それ以外の場合、つまり所定レベル以上の電波受信が無かった場合と、電波受信はあってもそのデータが第１受信対象局のタイムコードフォーマットと異なる場合、さらにはフォーマットは正しいが、実際に受信した時刻情報に誤りがあった場合には、受信失敗（受信ＮＧ）と判断される（Ｓ３）。
【００６１】
第１受信対象局で電波受信に成功した場合には、受信選択手段６０は、受信回路２２を停止して受信動作を終了し、時刻修正手段である時刻修正制御部５５による時刻修正処理（Ｓ１０）を実行する。
【００６２】
一方、受信に失敗した場合には、受信選択手段６０は、受信局逐次選択受信部６２を作動する。具体的には、変数ｎに１を加算して「ｎ＝２」とし（Ｓ４）、「ｎ＞５」であるか、つまり本実施形態では受信対象局が５つしか設定されていないので、選択順序が５以下であるかを判定する（Ｓ５）。
そして、ｎが５以下であれば、受信局逐次選択受信部６２を作動し、第ｎ受信対象局（ｎ＝２であれば第２受信対象局）を選択させて、その標準電波の受信を第１受信対象局の時と同じ方法で実行する（Ｓ６）。
【００６３】
次に、第ｎ受信対象局での受信に成功したかを判定する（Ｓ７）。この判定方法も、第１受信対象局での判定処理（Ｓ３）と同じである。そして、受信に失敗した場合には、Ｓ４〜Ｓ７の処理が受信に成功するまで繰り返される。つまり、第３〜５受信対象局の選択、電波受信処理が繰り返される。
そして、第２〜５受信対象局のいずれかで電波受信に成功すると（Ｓ７）、その受信に成功した受信対象局が第１受信対象局に設定される（Ｓ８）。距離的順序記憶部７２を用いている場合には、その受信対象局起点のデータが選択されることになる。
【００６４】
そして、受信選択手段６０は、第１受信対象局の目盛６に指針７を合わせることで、地域インジケータ８の表示を更新された第１受信対象局に設定する（Ｓ９）。
さらに、受信した電波の時刻情報に基づいて時刻修正処理を行う（Ｓ１０）。なお、時刻修正処理は、通常の電波修正時計と同様に行えばよい。例えば、受信電波判定手段５６で正しいと判定された時刻情報と、現在の針位置情報とを比較回路５４で比較し、その差に相当するパルスを時刻修正制御部５５から出力して時刻カウンタ５３の値を変更し、合わせてモータ駆動回路２５により表示部２８の指針２，３の位置を変更することで時刻修正を行えばよい。
【００６５】
なお、Ｓ５で「ｎ＞５」と判断された場合には、第１〜５受信対象局を順次切り替えても、標準電波を受信できなかったことになるため、時刻修正や第１受信対象局の更新も行わずに受信処理を終了する。この場合、予め設定された時間後、例えば２時間後に再度受信処理を行うようにしてもよいし、定期的なスケジュールに基づく受信を１回飛ばして、次の定期受信時期（例えば１日後）に受信を行うようにすればよい。
以上の処理は、自動的に行われる定期受信処理時と、利用者がりゅうず等を操作することによる手動受信処理時にそれぞれ実行される。
【００６６】
なお、選択順序記憶手段７０において、ユーザー設定順序記憶部７１が選択されている場合には、設定された順序で前記処理を行えばよい。この場合、第１受信対象局が実際に受信した対象局に変更される場合（Ｓ８）には、元の第１受信対象局以下を順次繰り下げればよい。
また、履歴順序記憶部７３が選択されている場合にも、設定された順序で前記処理を行えばよい。この場合、第１受信対象局が実際に受信した対象局に変更される場合（Ｓ８）には、第２〜５受信対象局をその受信回数の多い順に並べればよい。一方で、履歴順序記憶部７３が選択されている場合には、第１受信対象局を実際に電波を受信できた対象局に直ちに変更するのではなく、その受信を含めて受信回数を更新し、その回数の多い順に並べてもよい。つまり、図９の例で、仮にアメリカを受信した場合でも、受信回数は東日本のほうが依然として多いため、地域インジケータ８の表示は受信したアメリカ（ＵＳ）に切り替えるが、第１受信対象局つまり次回の電波受信時に最初に受信が実行される局は、東日本のままにしてもよい。
【００６７】
このような第１実施形態によれば、次の効果を奏することができる。
（１）標準電波の受信処理時に、受信選択手段６０の第１受信局選択受信部６１によって、選択順序記憶手段７０に設定された１番目の受信対象局を選択して電波を受信し、この際、正しい電波受信が行えなかった場合のみ、受信局逐次選択受信部６２により他の受信対象局を選択して受信しているため、従来のようにすべての受信対象局の受信処理を行う必要がなく、エネルギー消費を最小限に抑えることができ、省エネルギー化を図ることができる。
特に、受信局逐次選択受信部６２による他の受信対象局の選択時も、まず２番目の受信対象局が選択されてその標準電波の受信が試みられ、２番目の受信対象局で電波受信が成功しなかった場合のみ、３番目の受信対象局が選択されてその標準電波の受信が試みられるというように、失敗した場合のみ順次他の受信対象局が選択されるため、電波受信に成功するまでの受信回数を少なくでき、より一層の省エネルギー化を図ることができる。
【００６８】
（２）１番目の受信対象局は、前回受信に成功した局が設定され、かつ通常の使用ではその受信対象局で標準電波を再度受信できる可能性が高いため、多くの場合には、１番目の受信対象局での電波の受信に成功するため、電波受信処理を短時間で行え、その分、消費電流もより少なくできる。
【００６９】
（３）受信局逐次選択受信部６２による他の受信対象局の選択順序を、設定方法の異なる順序が設定された３種類の記憶部７１〜７３から利用者が適宜選択することができるので、その時計１の利用者にあった順序で各受信対象局を選択でき、１番目で電波受信に失敗した場合でも、２番目や３番目と早期に電波を受信できる可能性が高く、受信回数を少なくできる。
【００７０】
（４）その上、ユーザー設定順序記憶部７１を利用すれば、その時計１の利用者の行動パターン等に合わせて選択順序を設定できるため、効率的に標準電波を受信することができる。
【００７１】
（５）また、利用者の移動は距離が近い場合のほうが可能性が高いため、距離的順序記憶部７２を利用して設定順序を距離的に近い順に設定すれば、１番目で受信できなかった場合でも、２〜３番目で即座に受信できる可能性が高く、効率よく電波を受信することができる。さらに、この距離的順序記憶部７２は初期設定でデータが設定されているので、ユーザー設定順序記憶部７１のように、利用者がデータ入力を行わなくても簡単に利用できる。
また、初期モードとして、距離的順序記憶部７２を選択し、さらにその中の所定の起点（例えば「東日本」）を設定しておけば、電波修正時計１を最初に用いた場合でも、強制受信操作を行えば、本機能を利用できるため、非常に簡単な操作で電波受信を実行し、１番目の受信対象局も設定することができる。
【００７２】
（６）さらに、履歴順序記憶部７３を利用すれば、その時計１の利用者の行動パターンに合わせて自動的に選択順序を設定できるため、効率的に標準電波を受信することができる。その上、ユーザー設定順序記憶部７１を利用した場合のように、利用者のデータ入力操作が不要なため、非常に簡便に利用することができる。
【００７３】
（７）本実施形態によれば、受信対象局の選択が自動的に行われるので、利用者は受信対象局の選択操作や、どの受信対象局の電波が受信条件が良好かを判断する必要が無く、利便性を高めることができる。特に、日本においては、東西の各受信対象局の中間地域（京都）等では両方の電波を受信できるが、どちらの電波がより受信に適しているかは、その時計がある場所（山やビルがどちら側に存在しているか等）によって変わるため、判断が難しい。しかし、本実施形態では、受信対象局が自動的に選択されるため、利用者が特に判断する必要が無く、簡単に利用、設置することができ、かつ腕時計のように利用者とともに移動しても、その移動場所における最適な局が自動的に選択されるため、電波を確実に受信して時刻合わせを行うことができる。
【００７４】
（８）標準電波を受信した受信対象局を表示する地域インジケータ８を備えているので、利用者は、表示されている時刻がどの局（国）の時刻であるかを簡単に把握でき、利便性を高めることができる。
【００７５】
［第２実施形態］
次に、第２実施形態の電波修正時計１について、図１２〜１４を参照して説明する。
なお、以下の各実施形態において、前述する各実施形態と同一または同様の構成要素には同一符号を付し、説明を省略あるいは簡略する。
本実施形態は、前記第１実施形態とは、受信選択手段６０の受信局逐次選択受信部６２の代わりに最適局検出部６３および最適局選択受信部６４が設けられている点と、その変更に応じて選択順序記憶手段７０には第１局及び他局サーチ順記憶部７５のみが設けられている点が相違し、他の構成は前記第１実施形態と同一であるため、説明を省略する。
【００７６】
第１局及び他局サーチ順記憶部７５は、図１３に示すように、第１受信対象局として設定された局（図１３では東日本）と、他の受信対象局のサーチ順序（設定順序２番以降）が設定されている。
最適局検出部６３は、このサーチ順序に従って、受信対象局のサーチを行うものである。つまり、各局の電波を短時間受信し、その電波の電界強度、受信感度等の受信条件を求めて最も条件のよい局を検出する。この際、電波の受信条件のみを求めればよいため、周波数が一致する各局を別々にサーチする必要はない。このため、第１局及び他局サーチ順記憶部７５では、受信周波数が共通する各受信対象局は同じ順序に設定されている。なお、周波数毎の順序は、第１実施形態と同様に、ユーザー設定、受信履歴、さらには第１受信対象局の周波数に近い周波数の順に基づいて設定してもよいが、本実施形態では、各周波数に該当する受信対象局の多い順に設定されている。
最適局選択受信部６４は、最適局検出部６３で最適とされた局（周波数）を選択して電波の受信を行うものである。
【００７７】
このような第２実施形態における受信処理を図１４のフローチャートに基づいて説明する。
前記第１実施形態と同様に、定期的あるいは手動により受信処理が開始されると、受信選択手段６０の第１受信局選択受信部６１が駆動されて、選択順序記憶手段７０の第１局及び他局サーチ順記憶部７５に記憶された第１番目の受信対象局、つまり東日本が選択され、その標準電波の受信処理が実行される（Ｓ２１）。なお、具体的な受信処理は前記第１実施形態と同一である。
【００７８】
そして、第１受信対象局の標準電波を受信できたか否かを第１実施形態と同様に判定する（Ｓ２２）。
ここで、電波受信成功（受信ＯＫ）と判断された場合には（Ｓ３）、時刻修正処理（Ｓ２８）が実行される。
一方、受信に失敗した場合には、受信選択手段６０は、最適局検出部６３を作動する。最適局検出部６３は、第１受信対象局以外の局の電波を短時間受信し、最適な受信条件を検出する（Ｓ２３）。
【００７９】
具体的には、最適局検出部６３は、まず受信周波数切替手段５７を介して第２順位に設定された西日本の受信周波数（６０ｋＨｚ）に切り替えて電波受信を行い、その際の電界強度や受信感度等の受信条件情報を受信回路２２から受け取って記憶する。
次に、６０ｋＨｚ以外の受信周波数であるドイツの受信周波数（７７．５ｋＨｚ）に切り替えて受信条件情報を求める。
本実施形態では、それ以外に異なる周波数の電波が設定されていないが、仮に設定されている場合には、順次周波数を切り替えて受信条件を求める。
なお、第１受信対象局以外の局で、第１受信対象局と同じ周波数のものがある場合には、再度、その周波数で受信してもよいし、再度の受信処理は行わずに第１受信局での受信処理（Ｓ２１）を行った際の受信条件をそのまま利用してもよい。
そして、最適局検出部６３は、これらの中で最適な受信条件の局（周波数）を検出し、最適局選択受信部６４に通知する（Ｓ２３）。
【００８０】
最適局選択受信部６４は、検出された最適な受信条件の局（周波数）を選択し、再度、その受信周波数で電波の受信処理を行う（Ｓ２４）。そして、その周波数（最適受信局）での電波受信に成功したか否かを判定する（Ｓ２５）。
この際、前記第１実施形態と同様に、受信データのタイムコードフォーマットやデータが正しいかの判定も行われるが、例えば次のようにして処理される。つまり、受信周波数の電波を出力する局が１局しか無い場合には、その局のフォーマットを用いて判定すればよい。一方で、６０ｋＨｚのように、複数の局が存在する場合には、前述したように、各局のタイムコードフォーマットがそれぞれ異なるため、受信した時刻情報からどの局のフォーマットであるかを判断し、そのフォーマットに基づいて判定すればよい。
【００８１】
最適受信局での電波受信に成功した場合には（Ｓ２５）、その受信に成功した受信対象局が第１受信対象局に設定される（Ｓ２６）。
そして、受信選択手段６０は、第１受信対象局の目盛６に指針７を合わせることで、地域インジケータ８の表示を更新された第１受信対象局に設定する（Ｓ２７）。さらに、受信した電波の時刻情報に基づいて時刻修正処理を行う（Ｓ２８）。なお、時刻修正処理の方法は、第１実施形態と同じであるため、説明を省略する。
【００８２】
一方、最適受信局でも電波受信に失敗した場合には（Ｓ２５）、時刻修正や第１受信対象局の更新も行わずに受信処理を終了する。この場合も、予め設定された時間後、例えば２時間後に再度受信処理を行うようにしてもよいし、定期的なスケジュールに基づく受信を１回飛ばして、次の定期受信時期（例えば１日後）に受信を行うようにすればよい。
以上の各処理Ｓ２１〜２８は、電波受信動作時にそれぞれ実行される。
【００８３】
このような第２実施形態においても、前記第１実施形態の(1),(2),(7),(8)と同様の作用効果を奏することができる。
（９）さらに、最適局検出部６３で電波受信条件の良い局（周波数）を検出した上で、電波の受信を行っているので、電波受信に成功する可能性の高い、最も受信条件の良好な受信対象局を短時間で検出できる。すなわち、受信条件の確認のためだけであれば、時刻情報の受信に比べて非常に短時間の受信で良いため、１番目の受信対象局以外のすべての局の電波を一通り受信しても、その受信処理は非常に短時間で処理できる。そして、実際に時刻情報の受信を行うのは、受信条件の最も良い受信対象局のみであるため、受信条件の確認のための電波受信処理を行っていても、全体としては短時間で電波受信に成功することができる。従って、従来のような不要な長時間の受信動作を無くすことができ、消費電流の削減効果もより大きくすることができる。
【００８４】
（10）最適局検出部６３では、同一周波数の受信対象局に対しては１度の受信で受信条件を確認できるため、５個の受信対象局があっても、周波数は３種類しかないため、すべての局の電波の受信条件を確認するのに最大３回で良く、その分、電波受信時間もより小さくできて消費電流をより低減できる。
【００８５】
［第３実施形態］
次に、第３実施形態の電波修正時計１について、図１５〜１６を参照して説明する。
本実施形態は、前記第２実施形態とは、受信選択手段６０の最適局受信部の代わりに第１受信局設定部６５が設けられている点と、その変更に応じて図１６に示すように電波受信時の処理が異なる点が相違し、他の構成は前記第２実施形態と同一であるため、説明を省略する。
【００８６】
第３実施形態では、標準電波の受信は、常に第１受信対象局のみ行い、その第１受信対象局での受信回数が設定回数行われた場合等の一定時間毎に、第１受信対象局を設定するための最適局の選択を行うものである。
そのため、選択順序記憶手段７０の第１局及び他局サーチ順記憶部７５は、第２実施形態と同一である。
受信選択手段６０における第１受信局選択受信部６１、最適局検出部６３は第２実施形態と同一であり、そのほかに第１受信局設定部６５が設けられている。その他の構成は前記各実施形態と同一である。
【００８７】
このような構成の第３実施形態における受信処理を図１６のフローチャートに基づいて説明する。
第２実施形態と同様に、定期的あるいは手動により受信処理が開始されると、受信選択手段６０の第１受信局選択受信部６１が駆動されて、選択順序記憶手段７０の第１局及び他局サーチ順記憶部７５に記憶された第１番目の受信対象局、つまり東日本が選択され、その標準電波の受信処理が実行される（Ｓ３１）。なお、具体的な受信処理は前記第２実施形態と同一である。
【００８８】
そして、第１受信対象局の標準電波を受信できたか否かを第１実施形態と同様に判定する（Ｓ３２）。
ここで、電波受信成功（受信ＯＫ）と判断された場合には（Ｓ３２）、時刻修正処理（Ｓ３３）が実行され、地域インジケータ８の表示を受信局（第１受信対象局）に設定する（Ｓ３４）。なお、通常、同一の第１受信対象局での受信が続くため、実際には、後述する第１局設定部６８による処理が行われない限り、インジケータ８の実際の指示は変更されない。
【００８９】
その処理後、あるいはＳ３２で受信に失敗したと判定された場合には、第１受信対象局での受信実行回数が規定回数行われたかを判定する（Ｓ３５）。例えば、１日１回受信が行われている場合に、規定回数が５回（５日間）と設定されている場合には、５日毎に以下の処理が行われることになる。
【００９０】
Ｓ３５で規定回数行ったと判定された場合には、最適局検出部６３が作動され、前記第２実施形態と同様に、第１受信対象局以外の局の電波を短時間受信し、最適な受信条件の局（周波数）を検出する（Ｓ３６）。
【００９１】
そして、第１受信局設定部６５は、これらの各周波数毎の受信条件の内、第１受信局よりも受信条件が良好なものがあるかを判定する（Ｓ３７）。
受信条件が良好なものがあれば、その最適条件の受信局が第１局及び他局サーチ順記憶部７５の第１受信対象局に設定される（Ｓ３８）。
従って、次回の電波受信処理では、新たに第１受信対象局と設定された局が選択されて受信処理が実行される（Ｓ３１）。そして、その際に、受信に成功すれば、時刻修正処理（Ｓ３３）が行われ、地域インジケータがその第１受信対象局に変更される（Ｓ３４）。
なお、Ｓ３５で規定回数に達していない場合や、Ｓ３７で良好な受信条件の局が無かった場合には、第１受信対象局の変更は行われない。
以上の各処理Ｓ３１〜３５は、電波受信動作時にそれぞれ実行され、Ｓ３６〜Ｓ３８は一定時間間隔（例えば５日毎）に行われる。
【００９２】
このような第３実施形態においても、前記各実施形態の(1),(2),(7),(8),(10)と同様の作用効果を奏することができる。
（１１）さらに、定期的に最適局検出部６３で電波受信条件の良い局（周波数）を検出して１番目の受信対象局を最適な条件の局に更新しているので、より確実な時刻情報を入手し易くすることができる。すなわち、第１、２実施形態では、１番目の受信対象局で電波受信に成功した場合には、第１受信対象局の変更は行われない。このため、確率は低いが、受信した各時刻情報に同じような誤りがあり、たまたま１分間隔の時刻情報になっていたために受信成功と判断された場合には、正確な時刻が得られない可能性がある。このような状態は、特に弱い電波を受信している時に発生する確率が高い。つまり、弱い電波はＳ／Ｎ比が低下したり、飛び込みノイズに対する信号の余裕度が小さくなるため、強い電波を受信した場合に比べ、弱い電波を受信した場合は取得した時刻情報の誤り率が高くなるためである。従って、仮に電波受信に成功していても、より強い電波を受信できるのであれば、その電波を受信するようにしたほうが好ましい。そして、本実施形態では、仮に１番目の受信対象局で弱い電波の受信に成功していても、定期的に最適な受信対象局を検出して１番目の局を更新しているので、強い電波を受信することができ、受信できる確率を向上でき、かつ誤り率を減少させることができ、正確な時刻情報を確実に入手することができる。
【００９３】
（１２）また、最適局の検出や第１受信局の設定は、毎回の受信時に行われるのではなく、受信が数回行われた際に行われるので、消費電流をより一層減少することができる。
【００９４】
［第４実施形態］
次に、第４実施形態の電波修正時計１について、図１７〜２１を参照して説明する。
本実施形態は、前記第１実施形態が受信対象局単位で選択していたのに対し、標準電波の周波数単位で選択するようにした点が大きく相違する。すなわち、受信対象局には同じ周波数の電波を出力するものが存在する点と、同一周波数の電波であっても、その時刻コードのフォーマットが異なるため、受信した時刻情報によって各局を判別できる点に着目し、受信処理自体は周波数単位で行うようにしたものである。
【００９５】
このため、本実施形態の受信選択手段６０は、第１実施形態の第１受信局選択受信部６１に対応する第１周波数選択受信部１６１と、受信局逐次選択受信部６２に対応する周波数逐次選択受信部１６２とが設けられている。
また、選択順序記憶手段７０には、ユーザー設定順序記憶部１７１、周波数別順序記憶部１７２、履歴順序記憶部１７３、受信対象局数順序記憶部１７４が設けられている。
【００９６】
ユーザー設定順序記憶部１７１、周波数別順序記憶部１７２、履歴順序記憶部１７３、受信対象局数順序記憶部１７４は、それぞれ各受信対象局を周波数別にまとめた上で順序を設定している点が第１実施形態と相違する。
すなわち、ユーザー設定順序記憶部１７１は、図１８に示すように、利用者が受信周波数毎に設定順序を設定している。図１８の例では、周波数４０ｋＨｚ（東日本）を１番目、６０ｋＨｚ（西日本、アメリカ、イギリス）を２番目、７７．５ｋＨｚ（ドイツ）を３番目に設定している。
周波数別順序記憶部１７２には、現在第１番目（起点）として設定されている周波数に対し近い周波数、つまり起点周波数との差が小さい周波数の順で２番目以降の順序が設定されている。すなわち、図１９の例では、４０ｋＨｚ（東日本）が第１番目とされている場合、６０ｋＨｚ、７７．５ｋＨｚの順序で設定されている。同様に、６０ｋＨｚを第１番（起点）とした場合、７７．５ｋＨｚを第１番（起点）とした場合は、それぞれ図１９に示す順序で設定される。
【００９７】
履歴順序記憶部１７３は、図２０に示すように、各周波数別に受信回数を求め、その回数が多い順序で並べている。
受信対象局数順序記憶部１７４には、各周波数別に受信対象局の数が多い順序で並べられている。受信対象局数が多ければ、その周波数で受信した際に電波を受信できる可能性が高くなるためである。
【００９８】
第４実施形態における受信処理を図２２，２３のフローチャートに基づいて説明する。
前記第１実施形態と同様に、定期的あるいは手動により受信処理が開始されると、選択順序を表す変数ｎが初期値１にされる（Ｓ４１）。次に、第１周波数選択受信部１６１は、予め選択された各記憶部１７１〜１７４のいずれか１つから１番目の周波数を選択し、その周波数に基づいて受信周波数切替手段５７を介して同調回路２２１を制御し、電波受信を実行する（Ｓ４２）。ここで、受信回路２２において、電界強度等、所定の受信条件を満たしているかを判定し（Ｓ４３）、受信条件を満たす電波が受信できている場合には、受信電波判定手段５６によってその電波がどの受信対象局のものであるか、及び、受信した時刻情報が正しいものであるかを判定する（Ｓ４４）。
この際、周波数が特定されているので、受信電波判定手段５６はその周波数の電波を出力する受信対象局のタイムコードフォーマットと受信情報とを比較することでどの局の電波かを判定できる。また、受信時刻が正確か否かは、前記第１実施形態と同じく複数フレームのデータを受信することなどで行えばよい。
ここで、正確な時刻情報が受信できれば受信ＯＫと判断され（Ｓ４５）、地域インジケータがその受信対象局に変更され（Ｓ４６）、各実施形態と同じ時刻修正処理が行われる（Ｓ４７）。
【００９９】
一方、Ｓ４３で電波の受信条件が悪い場合、またはＳ４５で受信ＮＧと判断された場合には、周波数逐次選択受信部１６２が実行されて、その周波数逐次選択受信処理（Ｓ５０）が行われる。
周波数逐次選択受信処理では、図２３に示すように、まず、変数ｎに１を加算して「ｎ＝２」とし（Ｓ５１）、「ｎ＞３」であるか、つまり本実施形態では受信周波数が３種類しか設定されていないので、選択順序が３以下であるかを判定する（Ｓ５２）。
そして、ｎが３以下であれば、周波数逐次選択受信部１６２は、選択順序記憶手段７０から第ｎ周波数（ｎ＝２であれば第２周波数）を選択し、その標準電波の受信を第１周波数の時と同じ方法で実行する（Ｓ５３）。
【０１００】
次に、第ｎ周波数で所定の受信条件であったかを判定する（Ｓ５４）。ここで、受信条件を満たしていない場合には、Ｓ５１〜Ｓ５４の処理が条件を満たすか、ｎ＞３になるまで繰り返される。つまり、第３周波数の選択、電波受信処理が繰り返される。
そして、第２〜３周波数のいずれかで所定の受信条件を満たすと（Ｓ５４）、受信電波判定手段５６によってその電波がどの受信対象局のものであるか、及び、受信した時刻情報が正しいものであるかを判定する（Ｓ５５）。ここでの処理はＳ４４と同じである。
ここで、正確な時刻情報が受信できれば受信ＯＫと判断され（Ｓ５６）、検出した電波の受信対象局を第１受信対象局に設定し（Ｓ５７）、地域インジケータ８の表示を受信局（第１受信対象局）に設定し（Ｓ５８）、時刻修正処理を行う（Ｓ５９）。
一方、Ｓ５６で受信失敗と判定されたら、上記Ｓ５１に戻って処理を繰り返すことになる。
【０１０１】
このような第４実施形態においても、前記第１実施形態の(1)〜(4),(6)〜(8)と同様の作用効果を奏することができる。
（１３）さらに、周波数を選択して電波受信の切替を行っているので、前記(10)の効果と同様に、受信対象局を選択して行う第１実施形態に比べて全局の電波の受信条件を確認した場合でもその受信回数を少なくでき、その分、電波受信時間もより短くできて消費電流をより低減できる。
（１４）また、第１実施形態に対し、同一周波数の受信対象局が複数ある場合に、受信した電波がどの受信対象局であるかの判定を行わなければならないが、その判定は受信した時刻情報データのフォーマットの確認であるから、ソフトウェア的な処理で良く、非常に短時間に判定でき、時計１にとって負担増にはならない。特に、実際に受信した時刻情報を時刻修正に用いる時刻データにするためには、フォーマットに基づく解析が必要であるため、受信データの解析はいずれにしても必要な処理であるから、処理が従来に比べて増加することはなく、受信回数を減少できる分、省エネルギー化を促進できて時計１の持続時間も長くすることができる。
【０１０２】
なお、本発明は各実施形態に限定されるものではなく、本発明の目的を達成できる範囲での変形、改良等は、本発明に含まれるものである。
【０１０３】
例えば、第４実施形態は、第１実施形態の受信対象局選択を周波数選択に置き換えたものであったが、同様に、第２，３実施形態の受信対象局選択を周波数選択に置き換えてもよい。
すなわち、図２４に示すように、受信選択手段６０に、第１周波数選択受信部１６１の他に、最適周波数検出部１６３、最適周波数選択受信部１６４を設け、第１周波数で電波を受信できなかった際に、最適周波数検出部１６３によって第１周波数＆他周波数サーチ順序記憶部１７５を利用して順次周波数を切り替えて受信条件が最適となる周波数を検出し、最適周波数選択受信部１６４によってその周波数の選択および受信を行うことで第２実施形態と同様の制御を行ってもよい。
【０１０４】
また、図２５に示すように、受信選択手段６０に、第１周波数選択受信部１６１の他に、最適周波数検出部１６３、第１周波数設定部１６５を設け、第１周波数で電波を受信できなかった際に、最適周波数検出部１６３によって第１周波数＆他周波数サーチ順序記憶部１７５を利用して順次周波数を切り替えて受信条件が最適となる周波数を検出し、その周波数の受信条件が第１周波数の場合のよりも良い場合には、第１周波数設定部１６５で第１周波数の更新を行うことで第３実施形態と同様の制御を行ってもよい。
これらの各時計１においては、それぞれ第２，３実施形態と同様の作用効果が得られる上、第４実施形態の(13),(14)の作用効果も奏することができる。
なお、第１周波数＆他周波数サーチ順序記憶部１７５は、周波数毎に選択順序が設定されていればよいため、第１局及び他局サーチ順記憶部７５と同一のものが利用できる。
【０１０５】
本発明の電波修正時計としては、前記各実施形態の制御を組み合わせたものを用いてもよい。例えば、第１，２実施形態の制御に加え、第３実施形態の所定間隔で実行される最適局の検出と、その検出に基づく第１受信対象局の更新とを行うようにしてもよい。同様に、周波数を選択する場合も、第４実施形態や図２４に示す制御に加え、図２５の最適周波数の検出およびその検出に基づく第１周波数の更新とを行うようにしてもよい。このような構成によれば各実施形態の作用効果をそれぞれ奏することができる。
【０１０６】
地域インジケータ８の形式は、前記実施形態のような指針７を用いたものに限らず、各地域（受信対象局）の示すランプを点灯させたり、液晶表示部を用いてその受信局名を表示する等の他形式を採用しても良い。さらに、地域インジケータ８は必ずしも必須ではなく、電波受信状態を表すランプのみを設けたり、何も表示させるものを設けなくてもよい。
【０１０７】
第１，４実施形態では、選択順序記憶手段７０に３あるいは４個の記憶部を設けていたが、少なくとも１つの記憶部が設けられていればよく、その際、どの記憶部を設けるかは実施にあたって適宜設定すればよい。
【０１０８】
また、制御回路２４内の各回路、手段は、各種論理素子等のハードウェアで構成されたものに限らず、ＣＰＵ（中央処理装置）、メモリ（記憶装置）等を備えたコンピュータを時計１内に設け、このコンピュータに所定のプログラムやデータ（各記憶部に記憶されたデータ）を組み込んで各手段を実現させるように構成したものでもよい。
例えば、電波修正時計１内にＣＰＵやメモリを配置してコンピュータとして機能できるように構成し、このメモリに所定の制御プログラムやデータをインターネット等の通信手段や、ＣＤ−ＲＯＭ、メモリカード等の記録媒体を介してインストールし、このインストールされたプログラムでＣＰＵ等を動作させて、受信電波判定手段５６、受信選択手段６０等の各手段を実現させればよい。
なお、電波修正時計１に所定のプログラム等をインストールするには、その時計１にメモリカードやＣＤ−ＲＯＭ等を直接差し込んで行ってもよいし、これらの記憶媒体を読み取る機器を外付けで時計１に接続してもよい。さらには、ＬＡＮケーブル、電話線等を時計１に接続して通信によってプログラム等を供給しインストールしてもよいし、アンテナ２１を備えていることから無線によってプログラムを供給してインストールしてもよい。
【０１０９】
このような記録媒体やインターネット等の通信手段で提供される制御プログラム等を電波修正時計１に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電波修正時計１を製造できるため、部品の共通化等が図れ、バリエーション展開時の製造コストを大幅に低減できる。
【０１１０】
電波修正時計としての機能、つまり計時手段、受信手段、時刻修正手段等の各構成は、前記実施形態のものに限らず、従来から知られている電波修正時計の各手段が利用できる。
また、前記実施形態では、５つの受信対象局を選択できるように構成されていたが、この選択可能な受信対象局の数や具体的な国（地域）は、実施にあたって適宜設定すればよい。この場合も、選択順序記憶手段７０や受信対象局情報記憶手段８０の内容を書き換えるだけでよいため、利用者が容易に設定することもできる。
【０１１１】
また、本発明の電波修正時計１は、アナログ式の時計に限らず、デジタル式の時計や指針と液晶表示部とを有する時計でもよい。さらに、電波修正時計１としては、腕時計や懐中時計等の携帯時計、掛時計や置時計等の設置型時計等、様々な時計に適用できる。
【０１１２】
［本発明の他の態様］
第１の態様にかかる電波修正時計の制御方法は、周波数および時刻情報フォーマットの少なくとも一方が異なる各種標準電波を出力する各標準電波出力局に対応する各受信周波数の中から予め設定された１番目の周波数の標準電波の受信を行う第１周波数受信工程と、第１周波数受信工程で標準電波の受信に失敗した際に、標準電波の受信に成功するかまたは予め用意されたすべての周波数を選択し終えるまで、予め設定された順序で他の周波数の標準電波の受信を順次行う他周波数受信工程と、他周波数受信工程で標準電波の受信に成功した際に、その周波数を１番目の周波数に設定する第１周波数設定工程と、第１周波数受信工程または他周波数受信工程で標準電波の受信に成功した際に、時刻を表示する計時手段の現時刻を前記標準電波の時刻情報に基づいて修正する時刻修正工程と、を備えることを特徴とする。
【０１１３】
第２の態様にかかる電波修正時計の制御方法は、周波数および時刻情報フォーマットの少なくとも一方が異なる各種標準電波を出力する各標準電波出力局に対応する各受信周波数の中から予め設定された１番目の周波数の標準電波の受信を行う第１周波数受信工程と、第１周波数受信工程で標準電波の受信に失敗した際に、予め設定された順序で他の周波数の標準電波の受信を順次行って電波の受信条件が最も良好な周波数を検出する最適周波数検出工程と、最適周波数検出工程で検出された周波数の標準電波の受信を行う最適周波数受信工程と、最適周波数受信工程で標準電波の受信に成功した際に、その周波数を１番目の周波数に設定する第１周波数設定工程と、前記第１周波数受信工程または最適周波数受信工程で標準電波の受信に成功した際に、時刻を表示する計時手段の現時刻を前記標準電波の時刻情報に基づいて修正する時刻修正工程と、を備えることを特徴とする。
【０１１４】
第３の態様にかかる電波修正時計の制御方法は、周波数および時刻情報フォーマットの少なくとも一方が異なる各種標準電波を出力する各標準電波出力局に対応する各受信周波数の中から予め設定された１番目の周波数の標準電波の受信を行う第１周波数受信工程と、予め設定された順序で他の周波数の標準電波の受信を順次行って電波の受信条件が最も良好な周波数を検出する最適周波数検出工程と、最適周波数検出工程で検出された周波数の受信条件が１番目の周波数よりも良い場合に、その周波数を１番目の周波数に設定する第１周波数設定工程と、前記第１周波数受信工程で標準電波の受信に成功した際に、時刻を表示する計時手段の現時刻を前記標準電波の時刻情報に基づいて修正する時刻修正工程と、を備えることを特徴とする。
【０１１５】
第４の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際にその標準電波に含まれる時刻情報に基づいて前記計時手段の現時刻を修正する時刻修正手段と、前記受信対象局の選択順序が記憶された選択順序記憶手段として機能させるとともに、前記受信選択手段を、選択順序記憶手段に記憶された１番目の受信対象局を選択して電波の受信を行う第１受信局選択受信部と、第１受信局選択受信部での電波受信に失敗したと判定された際に、選択順序記憶手段に記憶された選択順序にしたがって標準電波の受信に成功するかまたは記憶されたすべての受信対象局を選択し終えるまで、受信対象局を順次選択して電波の受信を行う受信局逐次選択受信部として機能させることを特徴とする。
【０１１６】
第５の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記受信対象局の選択順序が記憶された選択順序記憶手段として機能させるとともに、前記受信選択手段を、選択順序記憶手段に記憶された１番目の受信対象局を選択して電波の受信を行う第１受信局選択受信部と、第１受信局選択受信部での電波受信に失敗したと判定された際に、１番目の受信対象局以外の受信対象局の標準電波の受信を順次行い、電波の受信条件が最も良好な受信対象局を検出する最適局検出部と、この最適局検出部で検出された受信対象局を選択して電波の受信を行う最適局選択受信部として機能させることを特徴とする。
【０１１７】
第６の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の中から受信対象局を選択する受信選択手段と、前記受信手段の受信周波数を前記受信選択手段で選択された受信対象局に応じた周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記受信対象局の選択順序が記憶された選択順序記憶手段として機能させるとともに、前記受信選択手段を、選択順序記憶手段に記憶された１番目の受信対象局を選択して電波の受信を行う第１受信局選択受信部と、１番目の受信対象局以外の受信対象局の標準電波の受信を順次行い、電波の受信条件が最も良好な受信対象局を検出する最適局検出部と、この最適局検出部で検出された受信対象局の受信条件が１番目の受信対象局よりも良好である場合に、その受信対象局を選択順序記憶手段の１番目の受信対象局に設定する第１受信局設定部として機能させることを特徴とする。
【０１１８】
第７の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段として機能させるとともに、前記受信選択手段を、選択順序記憶手段に記憶された１番目の周波数を選択して電波の受信を行う第１周波数選択受信部と、第１周波数選択受信部での電波受信に失敗したと判定された際に、選択順序記憶手段に記憶された選択順序にしたがって標準電波の受信に成功するかまたは記憶されたすべての周波数を選択し終えるまで、受信周波数を順次選択して電波の受信を行う周波数逐次選択受信部として機能させることを特徴とする。
【０１１９】
第８の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段として機能させるとともに、前記受信選択手段を、選択順序記憶手段に記憶された１番目の周波数を選択して電波の受信を行う第１周波数選択受信部と、第１周波数選択受信部での電波受信に失敗したと判定された際に、１番目の周波数以外の周波数の標準電波の受信を順次行い、電波の受信条件が最も良好な周波数を検出する最適周波数検出部と、この最適周波数検出部で検出された周波数を選択して電波の受信を行う最適周波数選択受信部として機能させることを特徴とする。
【０１２０】
第９の態様にかかる電波修正時計の制御プログラムは、基準信号源からの基準信号を入力して現時刻を計時する計時手段と、時刻情報を含む標準電波を受信する受信手段とを備える電波修正時計に組み込まれたコンピュータを、周波数および時刻情報フォーマットの少なくとも一方が異なる各種標準電波を出力する各標準電波出力局の標準電波を受信する際の受信周波数を選択する受信選択手段と、前記受信手段の受信周波数を前記受信選択手段で選択された周波数に切り替える受信周波数切替手段と、標準電波の受信に成功したか否かを判定する受信電波判定手段と、標準電波の受信に成功したと判定された際に、その標準電波に含まれる時刻情報に基づいて前記計時手段の現時刻を修正する時刻修正手段と、前記周波数の選択順序が記憶された選択順序記憶手段として機能させるとともに、前記受信選択手段は、選択順序記憶手段に記憶された１番目の周波数を選択して電波の受信を行う第１周波数選択受信部と、１番目の周波数以外の周波数の標準電波の受信を順次行い、電波の受信条件が最も良好な周波数を検出する最適周波数検出部と、この最適周波数検出部で検出された周波数の受信条件が１番目の周波数よりも良好である場合に、その周波数を選択順序記憶手段の１番目の周波数に設定する第１周波数設定部として機能させることを特徴とする。
【０１２１】
第１０の態様の記録媒体は、第４〜９の態様にかかる電波修正時計の制御プログラムを記録したコンピュータによる読み出し可能な記録媒体であることを特徴とする。
【図面の簡単な説明】
【０１２２】
【図１】本発明の第１実施形態における電波修正時計を示す正面図である。
【図２】第１実施形態の時計の構成を示すブロック図である。
【図３】長波標準電波（ＪＪＹ）のタイムコードフォーマットである。
【図４】長波標準電波（ＤＣＦ７７）のタイムコードフォーマットである。
【図５】長波標準電波（ＭＳＦ）のタイムコードフォーマットである。
【図６】第１実施形態の制御回路の構成を示すブロック図である。
【図７】第１実施形態のユーザー設定順序記憶部のデータ構造を示す図である。
【図８】第１実施形態の距離的順序記憶部のデータ構造を示す図である。
【図９】第１実施形態の履歴順序記憶部のデータ構造を示す図である。
【図１０】第１実施形態の受信対象局情報記憶手段のデータ構造を示す図である。
【図１１】第１実施形態の制御回路の動作を示すフローチャートである。
【図１２】第２実施形態の制御回路の構成を示すブロック図である。
【図１３】第２実施形態の第１局及び他局サーチ順序記憶部のデータ構造を示す図である。
【図１４】第２実施形態の制御回路の動作を示すフローチャートである。
【図１５】第３実施形態の制御回路の構成を示すブロック図である。
【図１６】第３実施形態の制御回路の動作を示すフローチャートである。
【図１７】第４実施形態の制御回路の構成を示すブロック図である。
【図１８】第４実施形態のユーザー設定順序記憶部のデータ構造を示す図である。
【図１９】第４実施形態の周波数別順序記憶部のデータ構造を示す図である。
【図２０】第４実施形態の履歴順序記憶部のデータ構造を示す図である。
【図２１】第４実施形態の受信対象局数順序記憶部のデータ構造を示す図である。
【図２２】第４実施形態の制御回路の動作を示すフローチャートである。
【図２３】第４実施形態の制御回路の動作を示すフローチャートである。
【図２４】本発明の第１変形例の構成を示すブロック図である。
【図２５】本発明の第２変形例の構成を示すブロック図である。
【符号の説明】
【０１２３】
１…電波修正時計、２…時針、３…分針、５…文字盤、６…目盛、７…指針、８…地域インジケータ、２１…アンテナ、２２…受信回路、２３…データ記憶回路、２４…制御回路、２５…モータ駆動回路、２６…針位置検出回路、２７…電池、２８…表示部、５０…基準発振源、５１…発振回路、５２…分周回路、５３…時刻カウンタ、５４…比較回路、５５…時刻修正制御部、５６…受信電波判定手段、５７…受信周波数切替手段、６０…受信選択手段、６１…第１受信局選択受信部、６２…受信局逐次選択受信部、６３…最適局検出部、６４…最適局選択受信部、７０…選択順序記憶手段、７１…ユーザー設定順序記憶部、７２…距離的順序記憶部、７３…履歴順序記憶部、７５…第１局及び他局サーチ順記憶部、８０…受信対象局情報記憶手段、１６１…第１周波数選択受信部、１６２…周波数逐次選択受信部、１６３…最適周波数検出部、１６４…最適周波数選択受信部、１７１…ユーザー設定順序記憶部、１７２…周波数別順序記憶部、１７３…履歴順序記憶部、１７４…受信対象局数順序記憶部、１７５…第１周波数＆他周波数サーチ順序記憶部、２２１…同調回路。
【図１】
2004163439.tif 000003
【図２】
2004163439.tif 000004
【図３】
2004163439.tif 000005
【図４】
2004163439.tif 000006
【図５】
2004163439.tif 000007
【図６】
2004163439.tif 000008
【図７】
2004163439.tif 000009
【図８】
2004163439.tif 000010
【図９】
2004163439.tif 000011
【図１０】
2004163439.tif 000012
【図１１】
2004163439.tif 000013
【図１２】
2004163439.tif 000014
【図１３】
2004163439.tif 000015
【図１４】
2004163439.tif 000016
【図１５】
2004163439.tif 000017
【図１６】
2004163439.tif 000018
【図１７】
2004163439.tif 000019
【図１８】
2004163439.tif 000020
【図１９】
2004163439.tif 000021
【図２０】
2004163439.tif 000022
【図２１】
2004163439.tif 000023
【図２２】
2004163439.tif 000024
【図２３】
2004163439.tif 000025
【図２４】
2004163439.tif 000026
【図２５】
2004163439.tif 000027